(57)【要約】      （修正有）【課題】人々が仕事をする上で、眼鏡を必要に応じて使い分ける際に生ずる眼鏡の置き忘れや紛失を防ぐ。【解決手段】眼鏡の蔓の内側に眼鏡紛失防止ストッパー８を設け、眼鏡のフレームの縁部に眼鏡紛失防止チェーン９を設けた。【選択図】図２
2019139196.tif 000002
【特許請求の範囲】
【請求項１】
本願発明図面に観られる様に、主に遠視鏡（他、眼鏡）等の使用時に於いて、持ち運びや、紛失防止に不便している際に於いては、現在、万年筆、ボールペン、シャープペンシル等に多く見られて、之れ等に多く取り付けられている筆記具紛失防止（ポケット）留め器具と同じ、紛失防止器を現在普通に販売されている眼鏡の蔓部の内側に取り付けて用いられる「眼鏡紛失防止ポケット留め器具付眼鏡（Ｔ．７２８）」が開発され、発明される請求。
【請求項２】
本願発明図面に観られる様に、主に遠視鏡（他、眼鏡）等の使用時に於いて、持ち運びや、紛失防止に不便している際には、本願発明される、「眼鏡紛失防止ポケット留め器具付眼鏡（Ｔ．７２８）」を人体のほぼ中心部、若しくは、人体鎖骨位置より、やや下部位置の上着や、シャツ等の裏表に之れを入れては、出し入れ出来る、「眼鏡紛失防止ポケット留め器具付眼鏡入れ第七ポケット（Ｔ．７２９）」が開発され、発明される請求。
【請求項３】
本願発明図面に観られる様に、主に遠視鏡（他、眼鏡）等の使用時に於いて、持ち運びや、紛失防止に不便している際には、ヘルメット（若しくは帽子、頭布）の側面部に眼鏡の出し入れを自在にして、使用できる、「眼鏡紛失防止ポケット留め器具付眼鏡（Ｔ．７２８）」等を入れる、「眼鏡紛失防止ポケット留め器具付眼鏡入れ第八ポケット（Ｔ．７３０）が開発され、発明される請求。
【請求項４】
本願発明図面に観られる様に、主に遠視鏡（他、眼鏡）等の車輌（若しくは、航行機）内に於ける使用時に於いて、持ち運びや、紛失防止に不便している際には、車輌や航行機等に付帯するサンバイザー内に、「眼鏡紛失防止ポケット留め器具付眼鏡（Ｔ．７２８）」等を収納、若しくは出し入れ出来る、「眼鏡紛失防止ポケット留め器具付眼鏡入れサンバイザーポケット（Ｔ．７３１）」が開発発明される請求。
【請求項５】
本願発明図面に観られる様に、主に遠視鏡（他、眼鏡）等の使用時に於いて、持ち運びや、紛失防止に不便している際には、「眼鏡紛失防止ポケット留め器具付眼鏡（Ｔ．７２８）」等を、「第七ポケット（Ｔ．７２９）」「第八ポケット（Ｔ．７３０）」若しくは、「サンバイザーポケット（Ｔ．７３１）」等内に、常に出し入れさせ、常備、常設させる際、（更に、）之れを紛失させないで済む様にさせる為、之れに宝石等を持たせ、飾り付けて、アクセサリー等の効果を持たせて連結させる事の出来る「眼鏡紛失防止ポケット留め器具付眼鏡片側飾り付けチェーン（Ｔ．７３２）」が開発、発明される請求。
【発明の詳細な説明】
【技術分野】
【０００１】  筆者は、政治経済学をも、専修している所に於いて、日本国の昭和時代の初期、中期、そして、終わりから、平成時代の初期にかけて、日本国は、異常なる、上場景気（バブル景気）と、その崩落（バブルの崩壊）を繰り返えしし、それ等を経験して来てはいるが、それ等が何故、起こって来ているのか！について知っている人々というと、以外に少ないので、そこから之れ等の説話が展開されたかった。
日本国の近年に於いて、第二次世界大戦の敗戦により、一流国家から三流国家に成り下りは、したものの、日本国家は、三流国家から、一流国家に戻るべく、再挑戦、複活を目指し、焼土と化した安価格の土地に、工場と社宅を建てなおし続ける間（所得倍増  土地価格上昇計画を建て続ける間）の資金を、「国債」を称する、いかにも疎かしい資金源に頼り続ける間、戦争後に生まれた第一次ベビーブームと、第二次ベビーブーム時代のコドモ達が成長し切って、之れらの人々が住む土地と家屋（他仕事）が急速に必要となる時期を、本バブル景気と呼称されるものであったが、人々に充分に土地と家屋等が行き渡り続ける頃、人々には、もはや、土地も家屋等も飽和化し、不必要となった際には、バブル経済も終焉を来たし、バブル経済は破壊した。とすれば、話しは分り易くなった。
しかし併、この様にして、その後、再度一流国家を再編成した日本国の進むべく進路は更に優秀なコドモを必要とし併も、後更に優秀にして、多くの機智に富む、長寿高齢化（少子高齢化）する人々の多くを養わなければならない社会形態に変って来ている事を少なくとも国の指道者は知らなければならないものであった。（アパ．マン．ショップの需用最多）
要するに、何が言いたかったのか！と言えば、別例にして掲げる、シドニーシェルダン著作本、「真夜中は別の顔」に於いても、シェルダン氏は、第二次世界大戦当時の日本人の特徴について言い表わす所、「日本国民とは、死を恐れない眼鏡を掛けたチビである。」と、表現している程迄に、日本国民の特徴を、よく言い表わしており、今だに、日本国民の内の６０％近くの人々が何らかの眼鏡をしている。と、言っても過言では無かった
しかし併、その中でも、「遠視眼鏡では、現代ワンコインショップの安価格でいくらでも、購入できる物となっている物に対して、わざわざ、現在の技術に於いて、（それらを便利にする為、）近視（若しくは、素通し）眼鏡の上下部位に遠視鏡を嵌め込んでみたり、ハネ上げ、降しの遠視眼鏡を取り付ける（筆者、発明の前身）様な疎かしい発明（特願２０１４−１７６４１９参照）をしなくても、本願発明品に於いて、
人類が考案（発明）し続けて、未だ市場には出てはいない人間の（衣）服の内、人間の身体の鎖骨の少し下の下部位置に（遠視鏡、近視鏡、サングラス等を含む、）「眼鏡入れ専門（第七）ポケット（Ｔ．７２９）」を（全長１２ｃｍ〜１４ｃｍ程の大きさで、）衣服に取り付け、眼鏡等が紛失しない様にする為、「眼鏡紛失防止用ストッパー（Ｔ．７２８）」に、「眼鏡紛失防止用片側飾り付けチェーン（Ｔ．７３２）」が発明されて取り付けられる技術力が生じた。又、「帽子（Ｔ．７３０）」や、「サンバイザー（Ｔ．７３１）」にも（遠視、他）眼鏡入れ（器具付）ポケットが発明されていた。
【背景技術】
【０００２】特願２０１０−２７２９９２号、特願２０１４−１７６４１９号
【発明の概要】
【発明が解決しようとする課題】
【０００３】  人生５０年と言われた昔とは違って来ており、人々の栄養が良くなり、医療の目ざましく発展する他、服装品の多くが整っている平成年間に入った昨今（少子高齢化する中でも、）７０才以上になっても働きたがっている人々を多く見る中、国が７０才迄の雇用を推進する中、６０才以上から７０才近く迄の多くの人々が外交員、ガードマン、看護師、炊事員、雑用員、モギリ員、ヘルパー、大工、土工、トビ、ピッキング員、他数、数え切れない多種、多様にある仕事をしており、各々の会社で雇用され続ける中、
６９才の人々が雨ガッパを着て、５０ｃｃエンジンの原付車に乗り、会社と家の間を行来しており、大工は、細い図面を見て大工仕事をしており、ピッキング員は、細い文字で書かれた明細書を老眼鏡で覗いて見て、一階から三階迄の間をエレベーターに乗る他、階段を走る様に歩き廻わり、部品のピッキング（荷受け品、引き抜き作業）をしている、之れ等の作業をしている人々が居て、（旧式の）上半分、若しくは、下半分の素通し（若しくは、遠視、近視）レンズを嵌め込んで造られる眼鏡や、ハネ上げ、降し式の遠近両用銀鏡等を用いて仕事をしている人々も稀に見るものの、その後の筆者の研究で分る所に於いては、之れ等の（旧式発明品である、）眼鏡を用いて仕事をした場合、事故を起こし易くなる他、ハネ上げ降し式の眼鏡等では、見る人々の目障りとなる他、「こんな物を付けなければ、目が見えないのか！」とする差別的待遇を受け易く、大体に於いても、現在、安価格で売られている遠視鏡をやたらに高額商品にしてしまう欠点等が生じている時、紛失し易ささへも生じ易く、
之れ等の人々も、やはり、之の事実を認め、之れ等の物をやはり、普通の遠視（老眼）鏡と同じ（厄介物と同じ物の様にして、）扱い、歩行時には、首にブラ下げるか！折り畳み式の物もある他、老眼鏡ケース（若しくは、ポケット）に入れ、持ち歩いては、必要時に取り出して使用し、不必要時には、又、ポケットの中に入れるか、首にブラ下げて歩き廻わり、又、仕事をする際には、非常に邪馬そうにしているのを見た時、之れを、危険な物や、目障りで、高価格の物とはせずに、もっと、スムーズにして、利用できない物か！と考え、課題が生じた。
【課題を解決する為の手段】
【０００４】  しかし併、その様にして、現在、どんどんと、少子高齢化が進み、先進国に於いては、優秀なコドモが増え続ける他、長寿老人の人口が急増するべく為に、国が推進する、定年退職を６０才から７０才（以上）迄に引き延ばし続ける政策が成されると、年々、近視眼鏡や、遠視眼鏡（他、サングラス等も含む）を必ず必要とする人口が急増して来る事の事実を世の中の人々は、知っていなければならないものである中、
人間は、日々仕事をしている日常茶飯時に於いて、（遠視）眼鏡の必要時には、すぐに之れを顔面に装着でき、不必要な時には、すぐに取り外して、紛失しない様に、目元近くに常に之れ等の物を保管できる程の技術力が是非とも、之れに欲しい。と、思われる際には、人間の着る衣類に於いて、人間の鎖骨より少し下の下部位置に（遠視鏡、近視鏡、サングラス等を含む）「眼鏡入れ専門（第七）ポケット（Ｔ．７２９）」を（全長１２ｃｍ〜１４ｃｍ程の大きさで開発させて造り、）衣服の之れに取り付ける他、帽子等の側面部に眼鏡入れ（第八）ポケット（Ｔ．７３０）を（全長１２ｃｍ〜１４ｃｍ程の大きさで、開発させて造り、）帽子の之れに取り付けるに為す発明をし、又、タクシー、トラック等運転士業者が業務中、細かく書かれた地図を見るのにサンバイザーポケットを利用させ、
この様にして、常備、常設される、ポケットの中に入れて保管される、本願発明される、眼鏡等には、全て「眼鏡紛失防止用安全ストッパー（Ｔ．７２８）」と、「眼鏡紛失防止用片側飾り付けチェーン（Ｔ．７３２）」等が取り付けられると、眼鏡等の紛失防止が強
2019139196.tif 000003
利さの大変良い物となった。
【発明の効果】
【０００５】  現在迄に発明（開発）されている、衣服やズボンの（裏地）ポケットを含む、その数量は、全部で六種類迄有る際、筆者は、人の着るスーツ、ジャケット、上着（シャツ）等、衣服類に（為）して、人の鎖骨より、やや下部位置に、「衣服留めストッパー付眼鏡（Ｔ．７２８）をして、眼鏡入れポケット（Ｔ．７２９）や「帽子（頭布）他、ヘルメットの側面部に眼鏡入れポケット（Ｔ．７３０）なる物を発明（開発）し、その様にして、主に、遠視眼鏡を入れる（器具）や、ポケットの数量を増してみた所、現在安価格ですぐに入手出来て、（年々増え続ける、）遠視眼鏡必要者に関して、遠視眼鏡の使用時、不必要時他、持ち運びに不便（負担）をかけさせずに、便利を良くし、之れ等の物を入れるポケット（器具）等のより多くの数のものをより多くの人々に提供する事が出来た。
【図面の簡単な説明】
【０００６】
【図１】
2019139196.tif 000004
【図２】  現在、普通見られる眼鏡の蔓（の内側）部分に万年筆やボールペン等々に取り付けられている、衣服留めストッパー器機と同じ、「シャツ（スーツ）眼鏡留めストッパー（Ｔ．７２８）」を（全て）あらゆる眼鏡と呼ばれる物の蔓の内側に取り付けられる発明と、あらゆる眼鏡を、「第七番目シャツ（スーツ、遠視）眼鏡入れポケット（Ｔ．７２９）」若しくは、「第八番目（帽子、頭巾）眼鏡入れポケット（Ｔ．７３０）内に出し入れする際、之れを紛失させないで済む様にさせる為、宝石等を持たせて、アクセサリーの効果を持つ、「眼鏡紛失防止用片側飾り付けチェーン（Ｔ．７３２）」を用いる使用例を図示。
【図３】  現在（日本国）では、労働基準（法令）が厳しくなり、あらゆる建設土木現場で作業に従事する人々には、（頭布を含み、）頭部にヘルメット等を被る事が義務付けられる事が多い中、年配者となる、土木、建設現場の（作業）従事者では、遠視鏡を使って細い図面や、作業指事書を見る必要に迫ばまり、遠視鏡の持ち運びに不便している際には、ヘルメット（若しくは帽子）の側面部に、遠視眼鏡入れ（ポケット、ケース）器を備え付けさせ、用を足せる様にしたものの使用例等を図示。
【図４】  主に年配者となるトラックの運転士やタクシーの運転士等が細い地図や、作業指示書を見る必要に迫まって、遠視眼鏡を必要とする際、遠視眼鏡（他サングラスも含む）を車内にして、常に、常備、常設する事の出来る「遠近視眼鏡紛失防止用サンバイザー眼鏡入れポケット（Ｔ．７３１）」が発明されたものを図示。
【発明を実施する為の形態】
【０００７】「‥‥‥成積の悪い子は、戦場に送る‥‥‥。」とする、アメリカン、ブラック、ジョークにも見られる様に、先進国に必要とする者（コドモやオトナ）は、優秀な者達を必要とされる中、先進国では、諸事情（本文経済学の援用は、国内オートメーション化のほぼ成功を意味する。）が生じ、デフレスパイラル現象に拍車がかかり、留まり知れずとなり、どこでも少子高齢社会（化）現象が進む際中にも、（国民は、国民で納得する事の術も知らず内にあり、）政治家は政治家で、国民の納得する様な、あらゆる屁？理堀（課題を、）掲げ続けては、増税する現象も留まり知れず中にあり、現在、この様にして、増税無き（国）財政の再建のあり方も知らぬ（無知なる、）多くの人々が増え続ける次第の中、
増税無き（国）財政、再建のあり方は、増幅する、デフレスパイラル（国債大幅増額）や、小子高齢化する社会化現象する波（バイオリズム）に絶対逆ってはならず、―――「その波！」に乗るには、医療の進歩や、衣料品の進歩をして、栄養（レトルト食品）事情、電化製品、寝具用品、カー用品等々‥‥‥。」の全てのオートメーション（大量生産）化に成功している先進国では、物品が有り余り、造幣出力が追いつかないでいる現状の中、種々職場では、有資格者や、老後（年金）資金をぐっつりと貯め込んで熟知した知識と安定した資金を持って、６０才になっても、８０才になっても（元気に、）働きたがっている高齢者が巷に多く
2019139196.tif 000005
「Ｚ資金？」や、「徳川の埋蔵金？」にも絶対に劣らない埋蔵金（之れを「マコ埋蔵金！」と呼ぶ。）を市場に流出させる事が出来た時、（少子高齢化）社会に還元させる事が出来る一石二鳥となる増税無き（財政）再建が出来る時、之れは、「仕事の尽きる事の無い（先進国日本の、）財政再建方法と呼ばれ、高く評価されるものとなる他、高齢者でも、クローン技術の進歩により、（新生時はいくらでも造れ、出生、死亡対照率表の照準合せ（生命の科学）は出来た。（但、現状態。）
それ故、之れ等の事では、未だ人類が経験した事の無い（政治経済学上）デフレスパイラルを経験する、
先進国では、オートメーションの生産化の大成功を収める事により、インフレ（国）を脱却化する現像と同時に、今度は造幣出力の追い付かない、少子高齢化する、デフレスパイラル現象に見舞れる苦しみを味い、（社会経済学）確実に減り続ける、コドモの数と、確実に増え続ける税金を課せられない者や、続出する高齢者を養わなければならないと感違い（若しくは思い違い）をする、（国責任者、政治家）等は、確実に増え続ける（通常の知識人でも分る、）増税への道を一途に辿り続けては、（世界的、）多くの国民を苦しめ続けていた。愚策であった。世界的規模で観られ、高齢者達が、老後の為を思い、古き時代より、現在に至る迄、之の様に、貯えられ続けていて、世界的規模で動かないでいる資金は、「全世界でのマコ埋蔵金」と呼ばれ、（全）世界の先進国でのデフレスパイラルを起こす一員となっている、「マコ埋蔵金」を市場に流出させる事が出来た時、（少子高齢化）社会に還元させるべく、「世界（先進）国、マコ老齢年金資金連絡流通路」を設け、之の埋蔵金を持つ元気な高齢者を（再度）現状社会（学）に還元（誘引）すれば確実に増税無き財政への糸口となる。と、考えた時、この社会政策を実行する際には、高齢者は、身すぼらしくあってはならずにして他、若年者には（無く、）高齢者には確実に増大する、老眼による視力障害が弊害するものとなっていた際、――高齢者にあっては、より多くの老眼鏡と、それ等の使い勝手をよくする、より多くのポケットが必要となった。
しかし併、誰れにでも分る様に、本説、考証論理で説明される、「マコ埋蔵金」の第一発掘者は、○○○○○生命保険会社（市場調査）であり、高齢者の死亡率が激減している、之れ等の事を応用し、彼等は巨万の富を市場に流入させる儘に巨万の富を一気にして、物にする事が出来ていた（他、余談だが高齢者は、現代、オレオレ詐欺に狙れ続けている）事でも話しが分り易くなっていた。
【実施例】
【０００８】  人間は、衣服を着る動物である事から、現在安価格になって来ている、遠視眼鏡（他、近視眼鏡、サングラス等）の必要となる人々の衣服では、顔に最も近い衣服のポケット位置に（片側、鎖り付きにして、）ストッパー付きの、之れら、眼鏡入れポケットの数を多く作る事で、その場、その場で必要とされる、眼鏡の使用、不使用に合わせて、之の眼鏡の顔への装着や取り付け外しが大変便利になるものとなった。
【産業上の利用の可能性】
【０００９】  今から３５年後の（先進国）日本での総人口は、１億人以下に割り込み、３人に１人は、（元気な、）高齢者を含む少子高齢社会化現象が進行する、統計（学）上から、その内の６０％以上は、（老眼鏡を含み、）何らかの眼鏡を必要としている人々となっている事が分る際、――之れ等の人々では、眼鏡が必要な時には、すぐに顔に之れを装着出来る他、不必要とする際には、人間の顔の近くに、「ストッパー（Ｔ．７２８）」と、「鎖付き眼鏡（Ｔ．７３２）」を常備、常設させ、常に、不便をかける事なく、出し入れさせる事の出来る「眼鏡出し入れ専用ポケット等（Ｔ．７２９）」をして、之れ等のポケット等を多く持つ衣服を製造する会社や、眼鏡を作る会社他、アクセサリーを造る会社等が、（之れらの方針に気がつき、）それぞれの科学的根拠に則るこれ等の法則にある理由を理解する際には、産業上の利用の可能性は極めて大きいものになった。
――巷に、特許とは、危険性が無い物にあって、凡そ、１日に１０万本以上売れる物でなければ、特許製品には、ならない物である事は読者は知って於いていただきたいものでもあった。
【符号の説明】
【００１０】１．普通に見られる、（シャツ他、）ブレーザー、スーツ、ジャケット、上着等に（現在）取り付けられている胸ポケットを表わし、２．普通に見られる、（シャツ他、）ブレーザー、スーツ、ジャケット、上着等に（現在）取り付けられている傍腹衣服ポケットを図示。３．本願発明で開発された、人体の鎖骨位置より、やや、下部位置に取り付けられる「眼鏡入れ専用（第七）ポケット（Ｔ．７２９）」を図示し、４．「第七番目シャツ（上着、遠視）眼鏡入れポケット（Ｔ．７２９）」から、５．「眼鏡紛失防止用片側飾り付けチェーン（Ｔ．７３２）」を取り付けて、ポケット等に連結された  ６．遠視鏡（等）を取り出したり、終い込んだりしている所を図示。７．遠視眼（鏡）等を（本願発明、）「第七番目シャツ（スーツ遠視）眼鏡入れポケット（Ｔ．７２９）から取り出して、顔面に装着し、使用している所を図示。８．（遠視眼鏡他、種々、色々の、）眼鏡の蔓の内側にして、万年筆や、ボールペン――等には、必ず付いている、「衣服ポケット留め器」と同じ器具を、「上着（シャツ）眼鏡留めストッパー（Ｔ．７２８）」と称呼し、眼鏡の蔓の内側に取り付けた物を図示する事で、眼鏡の置き忘れや、眼鏡の紛失等を大幅に減らす事が出来る発明品となった事を示す図。９．眼鏡紛失防止用片側飾り付けチェーン（Ｔ．７２９）に宝石等を取り付けて（新規と進歩を得る、）アクセサリーとなっている物品等を図示。１０．帽子やヘルメットの側面に（主に遠視眼鏡を主体とする、）第八番目（帽子）眼鏡入れポケット（Ｔ．７２８）」を取り付ける発明が成されている事を図示する他、１１．ヘルメットや、人の頭部に被せつける頭巾（帽子）の側面に、（主に遠視眼鏡を主体とする、）眼鏡入れポケット（ケース）が取り付けられている発明が成されている事を図示。１２．「車輌等のサンバイザーに（主に遠視眼鏡入れポケット（Ｔ．７３１）」が取り付けられている発明が成されている事を図示。１３．本願発明で開発された、ほぼ中心部にあって、人体鎖骨位置より、やや、下部位置のシャツの裏表側に、「（主に遠視）眼鏡入れ専用（第七）ポケット（Ｔ．７２７）が取り付けられているものを図示。」  １４．ヘルメット、若しくは、帽子を表わし、１５．ヘルメット若しくは帽子の上に被せる頭布を表わす図。
【図１】
2019139196.tif 000006
【図２】
2019139196.tif 000007
【図３】
2019139196.tif 000008
【図４】
2019139196.tif 000009